(57)【要約】【課題】最終の収納先である所定の収納者側における代理収納者の倒産リスクを回避する。【解決手段】代理収納者側収納システム３から通信ネットワーク４を介して送信されてきた前払金受信情報における前払金の金額に相当する貨幣価値を電子的に表す収納バリューＶ１を、代理収納者の識別情報に関連付けて収納バリュー管理ＤＢ３３に記憶し、代理収納者側収納システム３から通信ネットワーク４を介して送信されてきた代理収納通知情報における代理収納者の識別情報に対応する収納バリューＶ１から、代理収納通知情報における収納金の金額に相当する貨幣価値を電子的に表す収納済バリューＶＰを減額する最終収納者側収納システム２である。【選択図】      図６
2004310382.tif 000002
【特許請求の範囲】
【請求項１】
所定の収納者を最終の収納先として支払者に対して請求された請求金を当該支払者に代理して収納可能な代理収納者側のコンピュータシステムに対して通信ネットワークを介して通信可能な代理収納システムであって、
前記代理収納者側コンピュータシステムから前記通信ネットワークを介して送信されてきた、前記代理収納者から前記所定の収納者に対して支払われた前払金の支払いを表し、かつ前記代理収納者の識別情報および前払金の金額を含む前払金支払情報を受信する前払金支払情報受信手段と、
受信された前払金受信情報における前払金の金額に相当する貨幣価値を電子的に表す前払金バリューデータを、前記代理収納者の識別情報に関連付けて記憶する前払金バリューデータ記憶手段と、
前記代理収納者側コンピュータシステムから前記通信ネットワークを介して送信されてきた、前記支払者からの支払により前記代理収納者に収納された前記請求金に相当する収納金の金額および前記代理収納者の識別情報を含む代理収納通知情報を受信する代理収納通知情報受信手段と、
前記代理収納通知情報受信手段により受信された代理収納通知情報における代理収納者の識別情報に対応する前記前払金バリューデータ記憶手段に記憶された前払金バリューデータから、当該代理収納通知情報における収納金の金額に相当する貨幣価値を電子的に表す収納金バリューデータを減額する減額処理手段と、を備えたことを特徴とする代理収納システム。
【請求項２】
前記代理収納者の前記代理収納に対するインセンティブを表すインセンティブ情報を設定するインセンティブ情報設定手段をさらに備えたことを特徴とする請求項１記載の代理収納システム。
【請求項３】
前記インセンティブ情報設定手段は、前記収納金バリューデータに対応する収納金の金額に応じて前記インセンティブ情報を設定する手段を備えたことを特徴とする請求項２記載の代理収納システム。
【請求項４】
前記減額処理手段による減額処理回数を前記代理収納の件数として当該減額処理に対応する代理収納者識別情報に関連付けて記憶する代理収納件数記憶手段をさらに備え、
前記インセンティブ情報設定手段は、前記前払金バリューデータ記憶手段に記憶された前記代理収納者識別情報に対応する前払金バリューデータに相当する前払金の金額、前記収納金バリューデータに相当する収納金の金額および前記代理収納件数記憶手段により記憶された前記代理収納者識別情報に対応する代理収納件数の内の少なくとも一方を用いて前記インセンティブ情報を設定する手段を備えたことを特徴とする請求項２記載の代理収納システム。
【請求項５】
前記前払金バリューデータの前記前払金バリューデータ記憶手段に対する記憶が開始されたタイミングを表す開始タイミング情報を前記代理収納者の識別情報に関連付けて記憶する開始タイミング情報記憶手段をさらに備え、
前記インセンティブ情報設定手段は、前記前払金バリューデータ記憶手段に記憶された前記代理収納者識別情報に対応する前払金バリューデータの開始タイミングに基づいて当該前払金バリューデータの当該前払金バリューデータ記憶手段における滞留期間を計算し、計算した滞留期間および前記代理収納者識別情報に対応する前払金バリューデータに相当する前払金の金額それぞれに応じて前記インセンティブ情報を設定する手段を備えたことを特徴とする請求項２記載の代理収納システム。
【請求項６】
前記代理収納システムを利用できる利用者は前記前払金バリューデータを書き込みおよび読み出しできるバリューデータ蓄積媒体を所有しており、このバリューデータ蓄積媒体には、前記利用者の識別情報、前記所定の収納者の識別情報、前記前払金バリューデータの購入の許可を表す情報およびその許可金額をそれぞれ含む購入許可情報が蓄積されている一方、
前記バリューデータ蓄積媒体にアクセスして当該バリューデータ蓄積媒体に蓄積されている購入許可情報を読み出し、読み出した購入許可情報における購入許可金額に相当する貨幣価値を電子的に表す利用者用バリューデータを前記前払金バリューデータ記憶手段から減額する第１の減額手段と、
前記利用者バリューデータを対応する利用者の識別情報に関連付けて記憶する利用者バリューデータ記憶手段と、
前記利用者バリューデータを前記バリューデータ蓄積媒体に書き込む書き込み手段と、
店舗に設置された前記蓄積媒体用の読み取り端末を介して、前記利用者のバリューデータ蓄積媒体に蓄積された利用者バリューデータの内の少なくとも一部のバリューデータが読み出され、この読み出されたバリューデータに相当する金額および前記利用者の識別情報を含む入金要求を表す情報が前記通信ネットワークを介して前記店舗に設置されたコンピュータシステムから送信されてきた際に、当該送信されてきた入金要求情報に対応するバリューデータを、当該入金要求情報に含まれる利用者識別情報に対応する利用者バリューデータ記憶手段に記憶された利用者バリューデータから減額し、減額したバリューデータに相当する金額を前記店舗に対する入金金額として設定する第２の減額手段と、
を備えたことを特徴とする請求項１記載の代理収納システム。
【請求項７】
所定の収納者を最終の収納先として支払者に対して請求された請求金を当該支払者に代理して収納可能な代理収納者側のコンピュータシステムに対して通信ネットワークを介して通信可能な前記所定の収納者側のコンピュータシステムが読み取り可能な代理収納用プログラムであって、
前記所定の収納者側コンピュータシステムに、
前記代理収納者側コンピュータシステムから前記通信ネットワークを介して送信されてきた、前記代理収納者から前記所定の収納者に対して支払われた前払金の支払いを表し、かつ前記代理収納者の識別情報および前払金の金額を含む前払金支払情報を受信する処理と、
受信された前払金受信情報における前払金の金額に相当する貨幣価値を電子的に表す前払金バリューデータを、前記代理収納者の識別情報に関連付けて第１の記憶部に記憶する処理と、
前記代理収納者側コンピュータシステムから前記通信ネットワークを介して送信されてきた、前記支払者からの支払により前記代理収納者に収納された前記請求金に相当する収納金の金額および前記代理収納者の識別情報を含む代理収納通知情報を受信する処理と、
前記代理収納通知情報受信処理により受信された代理収納通知情報における代理収納者の識別情報に対応する前記メモリに記憶された前払金バリューデータから、当該代理収納通知情報における収納金の金額に相当する貨幣価値を電子的に表す収納金バリューデータを減額する処理と、
をそれぞれ実行させることを特徴とする代理収納用プログラム。
【請求項８】
前記所定の収納者側のコンピュータシステムに前記代理収納者の前記代理収納に対するインセンティブを表すインセンティブ情報を設定する処理をさらに実行させることを特徴とする請求項７記載の代理収納用プログラム。
【請求項９】
前記インセンティブ情報設定処理は、前記収納金バリューデータに対応する収納金の金額に応じて前記インセンティブ情報を設定する処理を備えたことを特徴とする請求項８記載の代理収納用プログラム。
【請求項１０】
前記代理収納用プログラムは、前記所定の収納者側コンピュータシステムに、前記減額処理による減額処理回数を前記代理収納の件数として当該減額処理に対応する代理収納者識別情報に関連付けて第２の記憶部に記憶する処理をさらに実行させるようになっており、
前記インセンティブ情報設定処理は、前記第１の記憶部に記憶された前記代理収納者識別情報に対応する前払金バリューデータに相当する前払金の金額、前記収納金バリューデータに相当する収納金の金額および第２の記憶部に記憶された前記代理収納者識別情報に対応する代理収納件数の内の少なくとも一方を用いて前記インセンティブ情報を設定する処理を備えたことを特徴とする請求項８記載の代理収納用プログラム。
【請求項１１】
前記代理収納用プログラムは、前記所定の収納者側コンピュータシステムに、前記前払金バリューデータの前記第１の記憶部に対する記憶が開始されたタイミングを表す開始タイミング情報を前記代理収納者の識別情報に関連付けて第３の記憶部に記憶させる処理をさらに実行させるようになっており、
前記インセンティブ情報設定処理は、前記第３の記憶部に記憶された前記代理収納者識別情報に対応する前払金バリューデータの開始タイミングに基づいて当該前払金バリューデータの当該第３の記憶部における滞留期間を計算し、計算した滞留期間および前記代理収納者識別情報に対応する前払金バリューデータに相当する前払金の金額それぞれに応じて前記インセンティブ情報を設定する処理を備えたことを特徴とする請求項８記載の代理収納用プログラム。
【請求項１２】
前記代理収納システムを利用できる利用者は前記前払金バリューデータを書き込みおよび読み出しできるバリューデータ蓄積媒体を所有しており、このバリューデータ蓄積媒体には、前記利用者の識別情報、前記所定の収納者の識別情報、前記前払金バリューデータの購入の許可を表す情報およびその許可金額をそれぞれ含む購入許可情報が蓄積されている一方、
前記代理収納用プログラムは、前記所定の収納者側コンピュータシステムに、
前記バリューデータ蓄積媒体にアクセスして読み出された当該バリューデータ蓄積媒体に蓄積されている購入許可情報における購入許可金額に相当する貨幣価値を電子的に表す利用者用バリューデータを前記第１の記憶部から減額する処理と、
前記利用者バリューデータを対応する利用者の識別情報に関連付けて第４の記憶部に記憶させる処理と、
前記利用者バリューデータを前記バリューデータ蓄積媒体に書き込むための処理と、
店舗に設置された前記蓄積媒体用の読み取り端末を介して、前記利用者のバリューデータ蓄積媒体に蓄積された利用者バリューデータの内の少なくとも一部のバリューデータが読み出され、この読み出されたバリューデータに相当する金額および前記利用者の識別情報を含む入金要求を表す情報が前記通信ネットワークを介して前記店舗に設置されたコンピュータシステムから送信されてきた際に、当該送信されてきた入金要求情報に対応するバリューデータを、前記利用者バリューデータ記憶手段における前記入金要求情報に含まれる利用者識別情報に対応する利用者バリューデータから減額し、減額したバリューデータに相当する金額を前記店舗に対する入金金額として設定させる処理と、
をそれぞれ実行させることを特徴とする請求項７記載の代理収納用プログラム。
【請求項１３】
所定の収納者を最終の収納先として支払者に対して請求された請求金を当該支払者に代理して収納可能な代理収納者側のコンピュータシステムに対して通信ネットワークを介して通信可能な前記所定の収納者側のコンピュータシステムを用いた代理収納方法であって、
前記代理収納者側コンピュータシステムから前記通信ネットワークを介して送信されてきた、前記代理収納者から前記所定の収納者に対して支払われた前払金の支払いを表し、かつ前記代理収納者の識別情報および前払金の金額を含む前払金支払情報を含む前払金支払情報を前記所定の収納者側コンピュータにより受信するステップと、
受信された前払金受信情報における前払金の金額に相当する貨幣価値を電子的に表す前払金バリューデータを、前記所定の収納者側コンピュータにより前記代理収納者の識別情報に関連付けて第１の記憶部に記憶するステップと、
前記代理収納者側コンピュータシステムから前記通信ネットワークを介して送信されてきた、前記支払者からの支払により前記代理収納者に収納された前記請求金に相当する収納金の金額および前記代理収納者の識別情報を含む代理収納通知情報を前記所定の収納者側コンピュータにより受信するステップと、
前記受信ステップにより受信された代理収納通知情報における代理収納者の識別情報に対応する前記第１の記憶部に記憶された前払金バリューデータから、前記所定の収納者側コンピュータシステムにより当該代理収納通知情報における収納金の金額に相当する貨幣価値を電子的に表す収納金バリューデータを減額するステップと、
を備えたことを特徴とする代理収納方法。
【請求項１４】
前記代理収納者の前記代理収納に対するインセンティブを表すインセンティブ情報を前記所定の収納者側コンピュータシステムにより設定するステップをさらに備えたことを特徴とする請求項１３記載の代理収納方法。
【請求項１５】
前記インセンティブ情報設定ステップは、前記収納金バリューデータに対応する収納金の金額に応じて前記インセンティブ情報を設定するステップを備えたことを特徴とする請求項１４記載の代理収納方法。
【請求項１６】
前記減額ステップによる減額処理回数を、前記所定の収納者側コンピュータシステムにより前記代理収納の件数として当該減額処理に対応する代理収納者識別情報に関連付けて第２の記憶部に記憶するステップをさらに備え、
前記設定ステップは、前記第１の記憶部に記憶された前記代理収納者識別情報に対応する前払金バリューデータに相当する前払金の金額、前記収納金バリューデータに相当する収納金の金額および前記第２の記憶部に記憶された前記代理収納者識別情報に対応する代理収納件数の内の少なくとも一方を用いて前記インセンティブ情報を設定するステップを備えたことを特徴とする請求項１４記載の代理収納方法。
【請求項１７】
前記前払金バリューデータの前記第１の記憶部に対する記憶が開始されたタイミングを表す開始タイミング情報を前記代理収納者の識別情報に関連付けて第３の記憶部に記憶するステップをさらに備え、
前記設定ステップは、前記第３の記憶部に記憶された前記代理収納者識別情報に対応する前払金バリューデータの開始タイミングに基づいて当該前払金バリューデータの当該第３の記憶部における滞留期間を計算し、計算した滞留期間および前記代理収納者識別情報に対応する前払金バリューデータに相当する前払金の金額それぞれに応じて前記インセンティブ情報を設定するステップを備えたことを特徴とする請求項１４記載の代理収納方法。
【請求項１８】
前記代理収納者側コンピュータシステムを利用できる利用者は前記前払金バリューデータを書き込みおよび読み出しできるバリューデータ蓄積媒体を所有しており、このバリューデータ蓄積媒体には、前記利用者の識別情報、前記所定の収納者の識別情報、前記前払金バリューデータの購入の許可を表す情報およびその許可金額をそれぞれ含む購入許可情報が蓄積されている一方、
前記バリューデータ蓄積媒体に対する前記所定の収納者側により当該バリューデータ蓄積媒体に蓄積されている購入許可情報が読み出された際に、その読み出された購入許可情報における購入許可金額に相当する貨幣価値を電子的に表す利用者用バリューデータを前記所定の収納者側コンピュータシステムにより前記第１の記憶部から減額するステップと、
前記利用者バリューデータを対応する利用者の識別情報に関連付けて第４の記憶部に対して記憶するステップと、
前記利用者バリューデータを前記バリューデータ蓄積媒体に書き込むステップと、
店舗に設置された前記蓄積媒体用の読み取り端末を介して、前記利用者のバリューデータ蓄積媒体に蓄積された利用者バリューデータの内の少なくとも一部のバリューデータが読み出され、この読み出されたバリューデータに相当する金額および前記利用者の識別情報を含む入金要求を表す情報が前記通信ネットワークを介して前記店舗に設置されたコンピュータシステムから送信されてきた際に、当該送信されてきた入金要求情報に対応するバリューデータを、当該入金要求情報に含まれる利用者識別情報に対応する前記第４の記憶部に記憶された利用者バリューデータから減額し、減額したバリューデータに相当する金額を前記店舗に対する入金金額として設定するステップと、
を備えたことを特徴とする請求項１３記載の代理収納方法。
【発明の詳細な説明】
【０００１】
【発明の属する技術分野】
本発明は、所定の収納者を最終の収納先として支払者に対して請求された請求金を、その支払者に代理して収納するための代理収納方法およびシステム、ならびに代理収納用プログラムに関する。
【０００２】
【従来の技術】
電気料金、ガス料金、水道料金、電話料金等の公共料金や事業税、固定資産税等の税金等の請求金の支払を国や企業等から請求された者は、銀行、郵便局、コンビニエンスストア等の代理収納機関に対してオンラインまたはオフラインにより上記請求金の代理収納を指示することにより支払いを行うのが一般的である（例えば、特許文献１参照）。
【０００３】
例えば、図１０に示すように、支払請求元、すなわち、最終的な収納先を表す最終収納者１００から提供されたサービスの対価の支払要求、あるいは税金の納付要求を受けた支払い者１０１は（図１０；ステップＳ１００）、例えば自らが口座を有している銀行等の代理収納者に対して、支払／納税要求されている金額を記載した紙媒体である収納通知書を渡して支払／納税指示する（ステップＳ１０１）。
【０００４】
代理収納者１０２は、収納通知書に対して代理収納領収印等を押印して支払者１０１に返し（ステップＳ１０２）、支払者１０１の口座から収納通知書に記載された支払／納税要求金額に相当する収納金Ｍを引き落とし、引き落とした収納金Ｍを最終収納者１００の口座に振込むことにより最終収納者１００に対して収納金Ｍの支払を完了し、収納金Ｍの支払に対応する収納通知書を送付している（ステップＳ１０３）。
【０００５】
すなわち、代理収納者１０２を経由して支払者１０１の口座から収納金が最終収納者１００の口座に対して振替されることにより、上記収納金が最終収納者１００に対して支払われている。
【０００６】
【特許文献１】
特開２００２−１８３４６０号公報
【０００７】
【発明が解決しようとする課題】
しかしながら、従来の代理収納者を経由した代理収納方法においては、代理収納者が支払者から収納金を収納してから、最終収納者が上記収納金を代理収納者から受け取るまでの間の事務処理に数日程度かかる場合が多い。
【０００８】
このため、上記事務処理間に代理収納者が倒産した場合、支払者に対して請求した請求金を回収することが困難になるというリスクを最終収納者側が負担する結果となっていた。
【０００９】
本発明は、上述した事情に鑑みてなされたものであり、最終の収納先である所定の収納者側における代理収納者の倒産リスクを回避し、早期の資金運用を可能にする代理収納方法およびシステム、ならびに代理収納用プログラムを提供することをその目的とする。
【００１０】
【課題を解決するための手段】
上述した目的を達成するため、本発明は、請求項１に記載したように、所定の収納者を最終の収納先として支払者に対して請求された請求金を当該支払者に代理して収納可能な代理収納者側のコンピュータシステムに対して通信ネットワークを介して通信可能な代理収納システムであって、前記代理収納者側コンピュータシステムから前記通信ネットワークを介して送信されてきた、前記代理収納者から前記所定の収納者に対して支払われた前払金の支払いを表し、かつ前記代理収納者の識別情報および前払金の金額を含む前払金支払情報を受信する前払金支払情報受信手段と、受信された前払金受信情報における前払金の金額に相当する貨幣価値を電子的に表す前払金バリューデータを、前記代理収納者の識別情報に関連付けて記憶する前払金バリューデータ記憶手段と、前記代理収納者側コンピュータシステムから前記通信ネットワークを介して送信されてきた、前記支払者からの支払により前記代理収納者に収納された前記請求金に相当する収納金の金額および前記代理収納者の識別情報を含む代理収納通知情報を受信する代理収納通知情報受信手段と、前記代理収納通知情報受信手段により受信された代理収納通知情報における代理収納者の識別情報に対応する前記前払金バリューデータ記憶手段に記憶された前払金バリューデータから、当該代理収納通知情報における収納金の金額に相当する貨幣価値を電子的に表す収納金バリューデータを減額する減額処理手段と、を備えている。
【００１１】
請求項２に記載した発明は、前記代理収納者の前記代理収納に対するインセンティブを表すインセンティブ情報を設定するインセンティブ情報設定手段をさらに備えている。
【００１２】
請求項３に記載した発明において、前記インセンティブ情報設定手段は、前記収納金バリューデータに対応する収納金の金額に応じて前記インセンティブ情報を設定する手段を備えている。
【００１３】
請求項４に記載した発明は、前記減額処理手段による減額処理回数を前記代理収納の件数として当該減額処理に対応する代理収納者識別情報に関連付けて記憶する代理収納件数記憶手段をさらに備え、前記インセンティブ情報設定手段は、前記前払金バリューデータ記憶手段に記憶された前記代理収納者識別情報に対応する前払金バリューデータに相当する前払金の金額、前記収納金バリューデータに相当する収納金の金額および前記代理収納件数記憶手段により記憶された前記代理収納者識別情報に対応する代理収納件数の内の少なくとも一方を用いて前記インセンティブ情報を設定する手段を備えている。
【００１４】
請求項５に記載した発明は、前記前払金バリューデータの前記前払金バリューデータ記憶手段に対する記憶が開始されたタイミングを表す開始タイミング情報を前記代理収納者の識別情報に関連付けて記憶する開始タイミング情報記憶手段をさらに備え、前記インセンティブ情報設定手段は、前記前払金バリューデータ記憶手段に記憶された前記代理収納者識別情報に対応する前払金バリューデータの開始タイミングに基づいて当該前払金バリューデータの当該前払金バリューデータ記憶手段における滞留期間を計算し、計算した滞留期間および前記代理収納者識別情報に対応する前払金バリューデータに相当する前払金の金額それぞれに応じて前記インセンティブ情報を設定する手段を備えている。
【００１５】
請求項６に記載した発明は、前記代理収納システムを利用できる利用者は前記前払金バリューデータを書き込みおよび読み出しできるバリューデータ蓄積媒体を所有しており、このバリューデータ蓄積媒体には、前記利用者の識別情報、前記所定の収納者の識別情報、前記前払金バリューデータの購入の許可を表す情報およびその許可金額をそれぞれ含む購入許可情報が蓄積されている一方、前記バリューデータ蓄積媒体にアクセスして当該バリューデータ蓄積媒体に蓄積されている購入許可情報を読み出し、読み出した購入許可情報における購入許可金額に相当する貨幣価値を電子的に表す利用者用バリューデータを前記前払金バリューデータ記憶手段から減額する第１の減額手段と、前記利用者バリューデータを対応する利用者の識別情報に関連付けて記憶する利用者バリューデータ記憶手段と、前記利用者バリューデータを前記バリューデータ蓄積媒体に書き込む書き込み手段と、店舗に設置された前記蓄積媒体用の読み取り端末を介して、前記利用者のバリューデータ蓄積媒体に蓄積された利用者バリューデータの内の少なくとも一部のバリューデータが読み出され、この読み出されたバリューデータに相当する金額および前記利用者の識別情報を含む入金要求を表す情報が前記通信ネットワークを介して前記店舗に設置されたコンピュータシステムから送信されてきた際に、当該送信されてきた入金要求情報に対応するバリューデータを、当該入金要求情報に含まれる利用者識別情報に対応する利用者バリューデータ記憶手段に記憶された利用者バリューデータから減額し、減額したバリューデータに相当する金額を前記店舗に対する入金金額として設定する第２の減額手段と、を備えている。
【００１６】
また、上述した目的を達成するため、本発明は、請求項７に記載したように、所定の収納者を最終の収納先として支払者に対して請求された請求金を当該支払者に代理して収納可能な代理収納者側のコンピュータシステムに対して通信ネットワークを介して通信可能な前記所定の収納者側のコンピュータシステムが読み取り可能な代理収納用プログラムであって、前記所定の収納者側コンピュータシステムに、前記代理収納者側コンピュータシステムから前記通信ネットワークを介して送信されてきた、前記代理収納者から前記所定の収納者に対して支払われた前払金の支払いを表し、かつ前記代理収納者の識別情報および前払金の金額を含む前払金支払情報を受信する処理と、受信された前払金受信情報における前払金の金額に相当する貨幣価値を電子的に表す前払金バリューデータを、前記代理収納者の識別情報に関連付けて第１の記憶部に記憶する処理と、前記代理収納者側コンピュータシステムから前記通信ネットワークを介して送信されてきた、前記支払者からの支払により前記代理収納者に収納された前記請求金に相当する収納金の金額および前記代理収納者の識別情報を含む代理収納通知情報を受信する処理と、前記代理収納通知情報受信処理により受信された代理収納通知情報における代理収納者の識別情報に対応する前記メモリに記憶された前払金バリューデータから、当該代理収納通知情報における収納金の金額に相当する貨幣価値を電子的に表す収納金バリューデータを減額する処理と、をそれぞれ実行させる。
【００１７】
請求項８に記載した発明は、前記所定の収納者側のコンピュータシステムに前記代理収納者の前記代理収納に対するインセンティブを表すインセンティブ情報を設定する処理をさらに実行させる。
【００１８】
請求項９に記載した発明において、前記インセンティブ情報設定処理は、前記収納金バリューデータに対応する収納金の金額に応じて前記インセンティブ情報を設定する処理を備えている。
【００１９】
請求項１０に記載した発明において、前記代理収納用プログラムは、前記所定の収納者側コンピュータシステムに、前記減額処理による減額処理回数を前記代理収納の件数として当該減額処理に対応する代理収納者識別情報に関連付けて第２の記憶部に記憶する処理をさらに実行させるようになっており、前記インセンティブ情報設定処理は、前記第１の記憶部に記憶された前記代理収納者識別情報に対応する前払金バリューデータに相当する前払金の金額、前記収納金バリューデータに相当する収納金の金額および第２の記憶部に記憶された前記代理収納者識別情報に対応する代理収納件数の内の少なくとも一方を用いて前記インセンティブ情報を設定する処理を備えている。
【００２０】
請求項１１に記載した発明において、前記代理収納用プログラムは、前記所定の収納者側コンピュータシステムに、前記前払金バリューデータの前記第１の記憶部に対する記憶が開始されたタイミングを表す開始タイミング情報を前記代理収納者の識別情報に関連付けて第３の記憶部に記憶させる処理をさらに実行させるようになっており、前記インセンティブ情報設定処理は、前記第３の記憶部に記憶された前記代理収納者識別情報に対応する前払金バリューデータの開始タイミングに基づいて当該前払金バリューデータの当該第３の記憶部における滞留期間を計算し、計算した滞留期間および前記代理収納者識別情報に対応する前払金バリューデータに相当する前払金の金額それぞれに応じて前記インセンティブ情報を設定する処理を備えている。
【００２１】
請求項１２に記載した発明において、前記代理収納システムを利用できる利用者は前記前払金バリューデータを書き込みおよび読み出しできるバリューデータ蓄積媒体を所有しており、このバリューデータ蓄積媒体には、前記利用者の識別情報、前記所定の収納者の識別情報、前記前払金バリューデータの購入の許可を表す情報およびその許可金額をそれぞれ含む購入許可情報が蓄積されている一方、前記代理収納用プログラムは、前記所定の収納者側コンピュータシステムに、前記バリューデータ蓄積媒体にアクセスして読み出された当該バリューデータ蓄積媒体に蓄積されている購入許可情報における購入許可金額に相当する貨幣価値を電子的に表す利用者用バリューデータを前記第１の記憶部から減額する処理と、前記利用者バリューデータを対応する利用者の識別情報に関連付けて第４の記憶部に記憶させる処理と、前記利用者バリューデータを前記バリューデータ蓄積媒体に書き込むための処理と、店舗に設置された前記蓄積媒体用の読み取り端末を介して、前記利用者のバリューデータ蓄積媒体に蓄積された利用者バリューデータの内の少なくとも一部のバリューデータが読み出され、この読み出されたバリューデータに相当する金額および前記利用者の識別情報を含む入金要求を表す情報が前記通信ネットワークを介して前記店舗に設置されたコンピュータシステムから送信されてきた際に、当該送信されてきた入金要求情報に対応するバリューデータを、前記利用者バリューデータ記憶手段における前記入金要求情報に含まれる利用者識別情報に対応する利用者バリューデータから減額し、減額したバリューデータに相当する金額を前記店舗に対する入金金額として設定させる処理と、をそれぞれ実行させる。
【００２２】
さらに、上述した目的を達成するため、本発明は、請求項１３に記載したように、所定の収納者を最終の収納先として支払者に対して請求された請求金を当該支払者に代理して収納可能な代理収納者側のコンピュータシステムに対して通信ネットワークを介して通信可能な前記所定の収納者側のコンピュータシステムを用いた代理収納方法であって、前記代理収納者側コンピュータシステムから前記通信ネットワークを介して送信されてきた、前記代理収納者から前記所定の収納者に対して支払われた前払金の支払いを表し、かつ前記代理収納者の識別情報および前払金の金額を含む前払金支払情報を含む前払金支払情報を前記所定の収納者側コンピュータにより受信するステップと、受信された前払金受信情報における前払金の金額に相当する貨幣価値を電子的に表す前払金バリューデータを、前記所定の収納者側コンピュータにより前記代理収納者の識別情報に関連付けて第１の記憶部に記憶するステップと、前記代理収納者側コンピュータシステムから前記通信ネットワークを介して送信されてきた、前記支払者からの支払により前記代理収納者に収納された前記請求金に相当する収納金の金額および前記代理収納者の識別情報を含む代理収納通知情報を前記所定の収納者側コンピュータにより受信するステップと、前記受信ステップにより受信された代理収納通知情報における代理収納者の識別情報に対応する前記第１の記憶部に記憶された前払金バリューデータから、前記所定の収納者側コンピュータシステムにより当該代理収納通知情報における収納金の金額に相当する貨幣価値を電子的に表す収納金バリューデータを減額するステップと、を備えている。
【００２３】
請求項１４に記載した発明は、前記代理収納者の前記代理収納に対するインセンティブを表すインセンティブ情報を前記所定の収納者側コンピュータシステムにより設定するステップをさらに備えている。
【００２４】
請求項１５に記載した発明において、前記インセンティブ情報設定ステップは、前記収納金バリューデータに対応する収納金の金額に応じて前記インセンティブ情報を設定するステップを備えている。
【００２５】
請求項１６に記載した発明は、前記減額ステップによる減額処理回数を、前記所定の収納者側コンピュータシステムにより前記代理収納の件数として当該減額処理に対応する代理収納者識別情報に関連付けて第２の記憶部に記憶するステップをさらに備え、前記設定ステップは、前記第１の記憶部に記憶された前記代理収納者識別情報に対応する前払金バリューデータに相当する前払金の金額、前記収納金バリューデータに相当する収納金の金額および前記第２の記憶部に記憶された前記代理収納者識別情報に対応する代理収納件数の内の少なくとも一方を用いて前記インセンティブ情報を設定するステップを備えている。
【００２６】
請求項１７に記載した発明は、前記前払金バリューデータの前記第１の記憶部に対する記憶が開始されたタイミングを表す開始タイミング情報を前記代理収納者の識別情報に関連付けて第３の記憶部に記憶するステップをさらに備え、
前記設定ステップは、前記第３の記憶部に記憶された前記代理収納者識別情報に対応する前払金バリューデータの開始タイミングに基づいて当該前払金バリューデータの当該第３の記憶部における滞留期間を計算し、計算した滞留期間および前記代理収納者識別情報に対応する前払金バリューデータに相当する前払金の金額それぞれに応じて前記インセンティブ情報を設定するステップを備えている。
【００２７】
請求項１８に記載した発明は、前記代理収納者側コンピュータシステムを利用できる利用者は前記前払金バリューデータを書き込みおよび読み出しできるバリューデータ蓄積媒体を所有しており、このバリューデータ蓄積媒体には、前記利用者の識別情報、前記所定の収納者の識別情報、前記前払金バリューデータの購入の許可を表す情報およびその許可金額をそれぞれ含む購入許可情報が蓄積されている一方、前記バリューデータ蓄積媒体に対する前記所定の収納者側により当該バリューデータ蓄積媒体に蓄積されている購入許可情報が読み出された際に、その読み出された購入許可情報における購入許可金額に相当する貨幣価値を電子的に表す利用者用バリューデータを前記所定の収納者側コンピュータシステムにより前記第１の記憶部から減額するステップと、前記利用者バリューデータを対応する利用者の識別情報に関連付けて第４の記憶部に対して記憶するステップと、前記利用者バリューデータを前記バリューデータ蓄積媒体に書き込むステップと、店舗に設置された前記蓄積媒体用の読み取り端末を介して、前記利用者のバリューデータ蓄積媒体に蓄積された利用者バリューデータの内の少なくとも一部のバリューデータが読み出され、この読み出されたバリューデータに相当する金額および前記利用者の識別情報を含む入金要求を表す情報が前記通信ネットワークを介して前記店舗に設置されたコンピュータシステムから送信されてきた際に、当該送信されてきた入金要求情報に対応するバリューデータを、当該入金要求情報に含まれる利用者識別情報に対応する前記第４の記憶部に記憶された利用者バリューデータから減額し、減額したバリューデータに相当する金額を前記店舗に対する入金金額として設定するステップと、を備えている。
【００２８】
なお、本発明における”者”とは、自然人および法人の何れをも含む概念である。
【００２９】
また、本発明における”コンピュータシステム”とは、少なくとも１台のコンピュータから構成されたシステムである。
【００３０】
さらに、本発明における”代理収納に対するインセンティブ”とは、代理収納を行ったことに対して与えられる報酬およびまたは褒賞を意味している。
【００３１】
そして、本発明における”第１、第２、第３および第４の記憶部”は、それぞれ異なるハードウェアで構成された場合、および同一ハードウェアの別の記憶領域で構成された場合も含む概念とする。
【００３２】
【発明の実施の形態】
本発明に係わる代理収納方法およびシステム、ならびに代理収納用プログラムの実施の形態について、添付図面を参照して説明する。
【００３３】
図１は、本発明の第１の実施の形態に係わる代理収納システム１の概略構成を示すブロック図である。
【００３４】
図１に示すように、代理収納システム１は、最終の収納先である所定の収納者（最終収納者ＬＲ）に設けられた最終収納者側収納システム２と、最終収納者２から支払者に対して請求された請求金を、その支払者に代理して収納可能な代理収納者側に設けられた代理収納者側収納システム３と、最終収納者側収納システム２および代理収納者側収納システム３間を高いセキュリティを確保した状態で通信可能に接続する例えば専用ネットワーク等の通信ネットワーク４とを備えている。
【００３５】
例えば、請求金が国税の場合には、最終収納者ＬＲは日本銀行であり、代理収納者ＳＲは、都市銀行、地方銀行、市中銀行等の金融機関である。また、特定の金融機関を最終収納者ＬＲとした場合、この最終収納者ＬＲである金融機関を除く他の金融機関が代理収納者ＳＲに相当する。なお、本実施の形態では、最終収納者ＬＲおよび代理収納者ＳＲの何れも金融機関とする。
【００３６】
最終収納者側収納システム２は、図１に示すように、請求が発生している請求先である各支払者に対する請求の内容（請求金額、請求日限等）を表す請求情報、および請求に対応する支払が完了した時点で対応する請求情報を消し込むための処理を行う請求／消込管理サーバ５と、最終収納者ＬＲを利用する複数の利用者Ｕ１、Ｕ２、・・・それぞれに対して開設されている複数の口座、および代理収納者に開設されている口座に対する入出金を管理するための口座管理サーバ６とを備えている。なお、本実施形態において、サーバとは、少なくとも１台のコンピュータから構成されたシステムとする。
【００３７】
また、最終収納者側収納システム２は、代理収納者側システム２から提供された収納用の前払金の金額に相当する貨幣価値を電子的に表す前払金バリューデータとしての収納バリューを管理するための収納サーバ７と、この収納サーバ７に対する収納（支払）指示を受け付けるための収納管理サーバ８と、代理収納者ＳＲに対するインセンティブを管理するためのインセンティブ管理サーバ９とを備えている。
【００３８】
さらに、最終収納者側収納システム２は、各サーバ５〜９を通信可能に接続する通信ネットワークである例えばローカルエリアネットワーク（ＬＡＮ）１０と、このＬＡＮ１０および通信ネットワーク３間のインタフェース処理を行うゲートウェイ１１とを備えている。
【００３９】
また、代理収納者側収納システム３は、図１に示すように、最終収納者側収納システム２に対して前払金の支払を通知するための収納管理端末２０を備えている。
【００４０】
さらに、代理収納者側収納システム３は、代理収納者ＳＲを利用する複数の利用者Ｕ１、Ｕ２、・・・（なお、請求を受けた利用者のことを支払者とも呼ぶ）それぞれに対して開設されている複数の口座、および最終収納者ＬＲに開設されている口座に対する入出金を管理し、その口座間の口座振替を行うための口座振替端末２１と、利用者Ｕ１、Ｕ２、・・・の操作等により、利用者Ｕ１、Ｕ２、・・・から支払われた料金を用いて代理収納を行うための収納専用端末２２と、対応する代理収納者に対して最終収納者側収納システム２から付与されたインセンティブを管理するためのインセンティブ管理端末２３とを備えている。
【００４１】
そして、代理収納者側収納システム３は、各端末２０〜２３を通信可能に接続する通信ネットワークである例えばＬＡＮ２４と、このＬＡＮ２４および通信ネットワーク３間のインタフェース処理を行うゲートウェイ２５とを備えている。
【００４２】
収納サーバ７は、図１に示すように、ＣＰＵ３０と、このＣＰＵ３０に接続されており、ＣＰＵ３０に対する通信インタフェース（Ｉ／Ｆ）用の通信Ｉ／Ｆ３１と、このＣＰＵ３０に接続されたメモリ３２とを備えている。このメモリ３２には、ＣＰＵ３０が読み取り可能であり、ＣＰＵ３０に後述する図５等に示す代理収納処理を実行させるための代理収納用プログラムが記録されている。なお、このメモリ３２としては、磁気メモリや半導体メモリ等の各種記録媒体が含まれる。
【００４３】
また、収納サーバ７は、代理収納者側収納システム３からの前払金支払通知に応じて発生する電子マネーデータとして、前払金の金額に相当する貨幣価値を電子的に表す前払金バリューデータである収納バリューを、上記前払金支払通知に対応する代理収納者ＳＲの識別データ（氏名等の属性情報、ＩＤ、パスワード等、代理収納者ＳＲをユニークに識別できるデータ）に関連付けて記憶し管理するための収納バリュー管理データベース（ＤＢ）３３を備えている。
【００４４】
この収納バリュー管理ＤＢ３３の概略構成を図２に示す。
【００４５】
図２に示すように、この収納バリュー管理ＤＢ３３には、予め代理収納者識別データ毎に、対応する代理収納者ＳＲからの収納バリューおよびその収納バリューのＤＢ３３に対する格納日がそれぞれ格納できるようになっている。なお、この収納バリュー管理ＤＢ３３が本発明の第１および第３の記憶部に相当する。
【００４６】
さらに、収納サーバ７は、代理収納者ＳＲによる代理収納件数を、代理収納者ＳＲの識別データおよび対応する基本情報（総資産、経常利益等、代理収納者としての体力を表す基本となる情報）に関連付けて記憶するための代理収納者用ＤＢ３４とを備えている。
【００４７】
この代理収納者用ＤＢ３４の概略構成を図３に示す。
【００４８】
図３に示すように、この代理収納者用ＤＢ３４には、予め代理収納者識別データ毎に対応する代理収納者ＳＲの基本情報が格納されており、その代理収納者識別データに対して対応する代理収納者ＳＲの代理収納件数を格納できるようになっている。なお、この代理収納者用ＤＢ３４が本発明の第２の記憶部に相当する。
【００４９】
一方、代理収納者側収納システム３には、図１に示すように、代理収納者側システム３において、例えば過去の年度毎の月別代理収納実績情報（過去の各年度毎にシステム３により代理収納された金額規模、代理収納件数等が月毎に分類されている情報）、代理収納者ＳＲを引き落としに指定した各利用者（支払者）Ｕ１、Ｕ２、・・・の口座から定期的に引き落とされる金額の情報および各利用者Ｕ１、Ｕ２、・・・が収納専用端末２２で支払った金額の情報等、代理収納の予測に必要な情報が格納された代理収納予測用ＤＢ４０が設けられている。
【００５０】
次に、本実施の形態の全体処理について説明する。
【００５１】
図４および図５に示すように、代理収納者側システム１は、過去の年度毎の月別代理収納実績情報、各利用者Ｕ１、Ｕ２、・・・から翌月に口座から引き落とされる金額規模および各利用者Ｕ１、Ｕ２、・・・が収納専用端末２２で支払った金額規模等に基づいて、翌月に代理収納者ＳＲにより代理収納される金額規模を予測し、代理収納者側収納システム３の口座振替端末２１の処理により、最終収納者ＬＲの口座を指定し、その口座に対して、上記予測代理収納金に基づいて決定された前払金を振り込む（支払う、図４；ステップ▲１▼）。この結果、口座管理サーバ６に管理されている最終収納者ＬＲの口座には、前払金が入金される。
【００５２】
そして、代理収納者側システム１の収納管理端末２０は、実際に支払われた前払金の支払いを表し、かつ代理収納者ＳＲの識別データおよび支払われた前払金の金額を有する前払金支払情報を含む前払金支払通知をゲートウェイ２５、通信ネットワーク３等を介して最終収納者側収納システム２に対して送信する（図４；ステップ▲１▼および図５；ステップＳ１）。
【００５３】
最終収納者側収納システム２の収納管理サーバ８は、送信されてきた前払金支払通知を受取り（ステップＳ２）、口座管理サーバ６にアクセスして前払金の振込を確認する（ステップＳ３）。
【００５４】
次いで、収納管理サーバ８は、前払金支払通知における前払金の金額に相当する貨幣価値を電子的に表す前払金バリューデータである代理収納用の収納バリューを発行し、発行した収納バリューＶ１を、ＬＡＮ１０を介して収納サーバ７に送信する（ステップＳ４）。
【００５５】
このとき、収納サーバ７（そのＣＰＵ３０）は、メモリ３２に記憶された代理収納用プログラムに基づいて動作し、送信されてきた収納バリューを代理収納者ＳＲの識別データに関連付けて収納バリュー管理ＤＢ３３に記憶（格納）し（図６参照）、さらに、その収納バリューＶ１の格納開始タイミングを表す例えば格納日を対応する収納バリューＶ１に関連付けて収納バリュー管理ＤＢ３３に格納する（図２参照；ステップＳ５）。
【００５６】
この結果、代理収納者ＳＲから対応する代理収納が発生していない状態において、最終収納者側収納システム２の収納バリュー管理ＤＢ３３には、代理収納者ＳＲから支払われた前払金に相当する収納バリューＶ１が予め格納される。
【００５７】
一方、最終収納者側システム２における請求／消込管理サーバ５は、例えば支払者Ｕ１が受けた公的サービスの料金、課税等の請求が発生した場合に、その請求が発生している請求先である支払者Ｕ１に対する請求の内容（その請求をユニークに識別するための請求識別データ、請求金額、請求日限等）を表す請求情報を登録する（ステップＳ６）。
【００５８】
この結果、最終収納者ＬＲから、支払者Ｕ１に対して、登録された請求情報に対応する課税等の請求金額および請求内容等を含む収納通知書が送付される（図４；ステップ▲２▼）。
【００５９】
支払者Ｕ１は、送付された収納通知書を受け取り、受け取った収納通知書ＰＡにより、代理収納者ＳＲに対して、上記請求金額の支払（納税）を行う（ステップ▲３▼）。
【００６０】
例えば、収納専用端末２２を介して直接行う場合には、支払者Ｕ１は、収納専用端末２２を操作して請求金額の支払を行い（図４；ステップ▲３▼）、収納専用端末２２は、支払者Ｕ１からの支払により収納された収納金の金額および代理収納者ＳＲの識別データを含む代理収納通知を通信ネットワーク３等を介して収納サーバ７に送信する（ステップＳ７）。
【００６１】
一方、例えば、口座振替端末２１を介して行う場合には、支払者Ｕ１は、口座振替端末２１を介して、自らの口座、請求金額および最終収納者ＬＲの口座を指定し、口座振替端末２１により、支払者Ｕ１の口座から最終収納者ＬＲの口座に対して請求金額の口座振替が実行され（図４；ステップ▲３▼）、口座振替端末２１は、収納された収納金の金額および代理収納者ＳＲの識別データを含む代理収納通知を通信ネットワーク３等を介して収納サーバ７に送信する（ステップＳ７および図４；ステップ▲５▼）。
【００６２】
収納サーバ７は、送信されてきた代理収納通知を受信し、収納バリュー管理ＤＢ３３を参照し、受信した代理収納通知における代理収納者ＳＲの識別データに対応する収納バリューＶ１から、代理収納通知に基づく収納金の金額に相当する貨幣価値を電子的に表す収納金バリューデータ（以下、収納済バリューとする）ＶＰを減額し、代理収納者用ＤＢ３４における上記代理収納者ＳＲの識別データに対応する代理収納件数（初期値は０）を１インクリメントする（ステップＳ８）。
【００６３】
この結果、図６に示すように、最終収納者側収納システム２の収納バリュー管理ＤＢ３３には、代理収納者ＳＲから支払われた前払金に相当する収納バリューＶ１から収納済バリューＶＰが減額され、その差である残高収納バリューＶＲが残る。
【００６４】
次いで、収納サーバ７は、減額した収納済バリューＶＰに相当する収納相当金が収納済であることを表す収納済通知情報を作成し、作成した収納済通知情報を、対応する請求識別データと共に請求／消込管理サーバ５に送信する（ステップＳ９）。
【００６５】
請求／消込管理サーバ５は、送信されてきた収納済通知情報における請求識別データに対応する請求情報を消し込む（ステップＳ１０）。
【００６６】
一方、ステップＳ９に続いて、収納サーバ７は、減額した収納済バリューＶＰに基づいて、代理収納者ＳＲの前払金に基づく代理収納に対するインセンティブ（インセンティブ情報）を設定し、設定したインセンティブを、代理収納者ＳＲの識別データと共にインセンティブ管理端末２３およびインセンティブ管理サーバ９にそれぞれ送信する（ステップＳ１１および図４；ステップ▲６▼）。
【００６７】
インセンティブ管理サーバ９は、送信されてきたインセンティブを、対応する代理収納者ＳＲの識別データに関連付けて自サーバ内に登録して管理する（ステップＳ１２）。
【００６８】
一方、インセンティブ管理端末２３も同様に、送信されてきたインセンティブを、対応する代理収納者ＳＲの識別データに関連付けて自端末内に登録して管理する（ステップＳ１３）。
【００６９】
例えば、このインセンティブの一例としては、貨幣価値を電子的に表すバリューデータ、収納バリュー管理ＤＢ３３に格納されている前払金に相当する収納バリューの利息等が適用できる。
【００７０】
以上述べたように、本実施形態によれば、代理収納者ＳＲから予め支払われた前払金に相当する電子マネーデータとしての収納バリューＶ１を最終収納者ＬＲ側の収納サーバ７の収納バリュー管理ＤＢ３３により管理しているため、仮に代理収納者ＳＲに倒産リスクが発生した場合でも、収納バリュー管理ＤＢ３３により管理されている収納バリューＶ１から、請求金を確実に回収することが可能になる。
【００７１】
この結果、最終収納者ＬＲ側における代理収納者ＳＲの倒産リスクを回避し、早期の資金運用を行うことができる。
【００７２】
また、この資金運用から、代理収納者ＳＲに支払うインセンティブの原資を捻出することができる。
【００７３】
さらに、本実施形態では、代理収納者ＳＲ側においても、代理収納を行う毎にインセンティブを取得することができる。
【００７４】
すなわち、例えば、インセンティブが貨幣価値を電子的に表すバリューデータの場合には、代理収納者ＳＲは、代理収納を行う毎にインセンティブ（バリューデータ）を取得することができる。
【００７５】
また、インセンティブが前払金に相当する収納バリューの利息の場合には、代理収納者ＳＲは、最終収納者ＬＲ側に預けた前払金に相当する収納バリューの金額規模を、そのインセンティブに相当する利息により増大させることができる。
【００７６】
すなわち、本実施形態では、代理収納により代理収納者ＳＲ側においてインセンティブを取得できるシステムを構築したため、代理収納者ＳＲにおいてメリットの高い代理収納システムを提供することができる。
【００７７】
なお、本実施形態においては、ステップＳ１１のインセンティブ設定処理について簡単に記載したが、インセンティブの設定には、様々なパターンがある。
【００７８】
図７は、本実施形態の図５に示すステップＳ１１のインセンティブ設定処理について具体的に説明するための図である。
【００７９】
すなわち、図７に示すように、収納サーバ７は、減額した収納済バリューＶＰに対応する代理収納者ＳＲの基本情報を代理収納者用ＤＢ３４を介して参照し（ステップＳ２０）、この代理収納者ＳＲの基本情報に応じてインセンティブの設定手法を選択する（ステップＳ２１）。
【００８０】
例えば、ステップＳ２２の処理として、収納サーバ７は、収納済バリューＶＰの金額規模に応じてインセンティブ（例えば、収納バリューＶ１の利息）を設定（例えば、金額規模の増大ならインセンティブ（利息）を増大させる等）している。
【００８１】
また、ステップＳ２３の処理として、収納サーバ７は、前払金に相当する収納バリューＶ１の金額規模と代理収納者用ＤＢ３４に格納された代理収納件数、あるいは代理収納金額（請求金額）とに基づいて、例えば収納バリューＶ１の金額規模と代理収納件数あるいは代理収納金額（請求金額）とを乗じてインセンティブを設定している。
【００８２】
この場合では、前払金の金額規模が大きく、かつ代理収納件数／代理収納金額が大きい場合に、インセンティブを増大させることができる。
【００８３】
上記ステップＳ２２およびステップＳ２３の手法は、何れも前払金（収納バリューＶ１）の還流、すなわち、収納サーバ７の収納バリュー管理ＤＢ３３に収納バリューＶ１を滞留させないことを奨励するものであり、例えば資本規模が小さい代理収納者の場合に適用される。
【００８４】
また、例えば、ステップＳ２４の処理として、収納サーバ７は、収納バリュー管理ＤＢ３３における前払金（収納バリューＶ１）の格納日から滞留期間を計算し、その収納バリューＶ１の金額規模と計算した滞留期間とに基づいて、例えば収納バリューＶ１の金額規模と滞留期間とを乗じてインセンティブを設定している。
【００８５】
このステップＳ２４の手法は、前払金（収納バリューＶ１）を収納バリュー管理ＤＢ３３に滞留させることを奨励するものであり、例えば前払金の金額規模が大きい場合および／または滞留期間が長い場合に適用される。
【００８６】
さらに、ステップＳ２５の処理として、収納サーバ７は、代理収納者用ＤＢ３４に格納された代理収納件数の規模に応じてインセンティブを設定している。
【００８７】
このステップＳ２５の手法は、代理収納件数の増大を奨励するものである。
【００８８】
このようにして、収納サーバ７は、設定したインセンティブを、インセンティブ管理サーバ９およびインセンティブ管理端末２３を介してそれぞれに送信する（ステップＳ２６参照）。
【００８９】
なお、一度支払われた前払金に相当する収納バリューからの払い戻しを許すように構成した場合には、ステップＳ２２〜Ｓ２５のインセンティブ設定処理において設定されたインセンティブよりも高い手数料を設定することが好ましい。
【００９０】
また、ステップＳ２２〜Ｓ２５のインセンティブ設定手法を用いる場合において、前払金が未支払（対応する収納バリューが未格納）または不足（収納バリューＶ１＜収納済バリューＶＰ）の際には、収納サーバ７は、ステップＳ８の処理において、代理収納者ＳＲからの収納通知の受付を拒否するようにしてもよく、代理収納者ＳＲ側の前払金未支払／不足に基づく最終収納者側のリスクを低減することができる。
【００９１】
以上述べたように、本変形例によれば、代理収納者ＳＲの基本情報に応じて、望ましいインセンティブを収納サーバ７側で設定することができるため、代理収納者ＳＲに対する最終収納者ＬＲ側でのリスクをさらに低減させることができる。
【００９２】
また、代理収納者ＳＲ側においても、自らの基本情報に即したインセンティブを取得することができるため、代理収納実行時において高いメリットを得ることができる。
【００９３】
（第２の実施の形態）
図８は、本発明の第２の実施の形態に係わる代理収納システム１Ａの概略構成を示すブロック図である。
【００９４】
本実施形態における代理収納システム１Ａは、利用者Ｕ１、Ｕ２、・・・が使用する、電子マネーデータ（バリューデータ）がリード／ライトできる蓄積媒体（可搬媒体）である例えばＩＣカードを用いて前払金に対応する収納バリューのさらなる効果的な運用を可能にするものである。
【００９５】
すなわち、本実施形態において、代理収納者ＳＲは、最終収納者ＬＲから、その代理収納者ＳＲに対して発行された収納バリューＶ１を利用者Ｕ１、Ｕ２、・・・に対して再販できる権限が与えられている。
【００９６】
また、最終収納者ＬＲと電子マネーデータ（バリューデータ）利用に関する契約が締結されている店舗（加盟店）４５には、ゲートウェイ４６を介して通信ネットワーク３と通信可能な通信端末４７と、この通信端末４７に接続されており、ＩＣカードに対して電子マネーデータを読み／書き（リード／ライト）できる電子マネーリーダ／ライタ（図９中Ｒ／Ｗと略記する）４８とがそれぞれ設置されている。
【００９７】
さらに、代理収納者側収納システム３Ａには、ＬＡＮ２４に接続されており、ＩＣカードに対して電子マネーデータをリード／ライトできる電子マネーリーダ／ライタ４９が設置されている。
【００９８】
そして、図８において、最終収納者側収納システム２Ａにおける収納サーバ７Ａには、この収納サーバ７Ａ全体で発行された全ての支払者（ＩＣカード利用者）に対する発行済電子マネーデータとしての発行済バリューＶＥを利用者識別情報に関連付けて記憶するための電子マネー発行ＤＢ５１と、各利用者Ｕ１、Ｕ２、・・・毎に発行された電子マネーデータとしての利用者用バリューＶＳを各利用者の識別情報に関連付けて記憶するための利用者用バリューＤＢ５１とがそれぞれ搭載されている。なお、利用者バリューＤＢ５１が本発明の第４の記憶部に相当する。
【００９９】
さらに、収納サーバ７Ａには、加盟店４５に対して入金される金額を含む入金情報を、その加盟店４５をユニークに識別するための加盟店識別情報に関連付けて記憶するための加盟店ＤＢ５２が搭載されている。
【０１００】
また、最終収納者側収納システム１Ａには、ＬＡＮ１０に接続されており、ＩＣカードに対して電子マネーデータをリード／ライトできる電子マネーリーダ／ライタ５３（図９中Ｒ／Ｗと略記する）が設置されている。
【０１０１】
ＩＣカード６０は、図９に示すように、コントローラ６１、メモリ６２および接触／非接触通信Ｉ／Ｆ６３が相互に接続されて構成されており、コントローラ６１は、電子マネーリーダ／ライタ４８、４９および５３に対して接触および／または非接触で通信可能になっている。
【０１０２】
なお、その他の構成については、図１に示す構成と略同等であるため、その説明は省略または簡略化する。
【０１０３】
次に、本実施形態の全体動作について説明する。
【０１０４】
第１の実施形態と同様に、代理収納者ＳＲから提供された前払金の金額に相当する貨幣価値を電子的に表す前払金バリューデータである代理収納用の収納バリューＶ１が収納バリュー管理ＤＢ３３に蓄積されている（図９におけるステップ▲１▼、ステップＳ１〜Ｓ５（図５参照））。
【０１０５】
このとき、例えば利用者Ｕ１と代理収納者ＳＲとの間で電子マネー用バリュー購入契約が締結されると、代理収納者側収納システム３Ａの電子マネーリーダ／ライタ４９は、ＩＣカード６０のコントローラ６１と通信し、ＩＣカード６０のメモリ６２に対して、最終収納者ＬＲの識別データ、前払金バリューデータＶ１の購入の許可を表す情報およびその許可金額をそれぞれ含む購入許可情報を蓄積する（ステップＳ３０）。
【０１０６】
そして、利用者Ｕ１は、購入許可情報が蓄積されたＩＣカード６０のコントローラ６１を介して最終収納者側収納システム２Ａの電子マネーリーダ／ライタ５３、代理収納者側収納システム３Ａの電子マネーリーダ／ライタ４９、加盟店４５の電子マネーリーダ／ライタ４８の何れか（図９においては、電子マネーリーダ／ライタ５３の場合について示している）に対して、購入許可情報を含むバリュー購入依頼情報を送信する（ステップＳ３１）。
【０１０７】
このとき、電子マネーリーダ／ライタ５３を経由して購入依頼情報を受信した収納サーバ７Ａは、予め代理収納者側システム３Ａから送信されている購入許可情報と照合し（ステップＳ３２）、この照合の結果一致する場合には、収納サーバ７Ａは、収納バリュー管理ＤＢ３３に蓄積されている収納バリューＶ１における上記許可金額に相当する電子的価値を表す利用者用バリューＶＳを収納バリュー管理ＤＢ３３から読み出し、上記電子マネーリーダ／ライタ５３およびＩＣカード６０のコントローラ６１を介してそのメモリ６２に書き込み、さらに、その利用者用バリューＶＳを利用者用バリューＤＢ５１に対して、利用者Ｕ１の識別情報に関連付けて格納する（ステップＳ３３）。
【０１０８】
この結果、利用者Ｕ１のＩＣカード６０のメモリ６２には、代理収納者ＳＲにより許可された金額に相当する電子マネーデータである利用者用バリューＶＳがチャージされることになる。
【０１０９】
次いで、収納サーバ７Ａは、収納バリュー管理ＤＢ３３に蓄積されている収納バリューＶ１から上記利用者用バリューＶＳを減額して（ステップＳ３４）、その利用者用バリューＶＳを電子マネー発行者用ＤＢ５０に移動する（ステップＳ３５）。この結果、収納バリュー管理ＤＢ３３には、残高収納バリューＶＲ（＝Ｖ１−ＶＳ）が残存する。
【０１１０】
すなわち、この残存された残高収納バリューＶＲが前払金に相当するバリューデータとして利用できるデータとなる。
【０１１１】
一方、利用者Ｕ１がＩＣカード６０を持参して加盟店４５において買い物をし、その代金を支払う際に、ＩＣカード６０による電子支払を行ったとする。
【０１１２】
このとき、加盟店４５の電子マネーリーダ／ライタ４８は、最終収納者側収納システム２Ａや代理収納者側収納システム３Ａに対してオンライン接続することなく、ＩＣカード６０のメモリ６２内の利用者用バリューＶＳから支払分のバリューデータである支払分バリューＶＰ１を減額してオフライン決済する（ステップＳ３６）。
【０１１３】
そして、上記利用者Ｕ１に対する支払金額（減額した支払分バリューＶＰ１）は、利用者Ｕ１の識別情報に関連付けられて通信端末４７に蓄積される。
【０１１４】
このようにして、利用者Ｕ１の加盟店４５におけるＩＣカード６０の使用毎に、通信端末４７には、その利用者Ｕ１のＩＣカード６０から減額された支払分バリューが順次蓄積されていく。
【０１１５】
このとき、定期的（例えば、１日に１回等）に、通信端末４７から、現在通信端末４７に蓄積されている利用者Ｕ１のトータルの支払分バリューＶＰＮが、利用者Ｕ１の識別情報および加盟店４５の識別情報と関連付けられた入金要求として通信端末４７を介して収納サーバ７Ａに対して送信される（ステップＳ３７）。
【０１１６】
収納サーバ７Ａは、送信されてきた入金要求に応じて利用者用バリューＤＢ５１から支払分バリューＶＰＮを減額し（ステップＳ３８）、さらに、電子マネー発行管理ＤＢ５０から支払分バリューＶＰＮを減額する（ステップＳ３９）。
【０１１７】
次いで、収納サーバ７Ａは、減額した支払分バリューＶＰＮを対応する加盟店４５の識別情報に関連付けて加盟店ＤＢ５２に蓄積する（ステップＳ４０）。
【０１１８】
そして、収納サーバ７は、支払分バリューＶＰＮを加盟店入金情報として収納管理サーバ８に送信する（ステップＳ４１）。
【０１１９】
この結果、収納管理サーバ８を介して加盟店４５の口座に上記支払分バリューＶＰＮに相当する料金が入金され、その入金を表す入金通知が加盟店４５の端末４８に送信される。この結果、加盟店４５は、送信されてきた通知により、入金を確認することができる。
【０１２０】
以上述べたように、本実施形態によれば、代理収納者ＳＲは、最終収納者ＬＲに対して前払金として提供した、その前払金に相当する収納バリューＶ１を、ＩＣカードに蓄積できる電子マネーとして利用者（ＩＣカード利用者）Ｕ１、Ｕ２、・・・等に再販することができる。
【０１２１】
このため、第１実施形態の効果に加えて、最終収納者ＬＲ側に提供した前払金の効率的な運用を図ることができる。
【０１２２】
なお、第１および第２の実施形態においては、最終収納者ＬＲおよび代理収納者ＳＲの何れも金融機関としたが、本発明はこの構成に限定されるものではなく、例えば、代理収納者ＳＲとして、自治体、公共サービス企業、コンビニエンスストア等の収納窓口であってもよく、また、最終収納者ＳＲとしては、利用者に対して有償の商品／サービスを提供して支払請求した企業等であってもよい。
【０１２３】
したがって、第１および第２の実施形態における各利用者Ｕ１、Ｕ２、・・・は、理収納者ＳＲに口座を開設しておかなくても、上記代理収納システム１を利用することができる。
【０１２４】
また、第１および第２の実施の形態では、代理収納者ＳＲが単独の場合について説明したが、本発明はこの構成に限定されるものではなく、複数の代理収納者の場合であっても、前払金に相当する収納バリューを、各代理収納者の識別データ毎に収納バリュー管理ＤＢに蓄積することができるため、代理収納者毎に上述した収納バリューからの収納済バリューデータ減算処理等を実行することができる。
【０１２５】
さらに、第２の実施の形態では、加盟店４５を１つとして説明したが、本発明はこの構成に限定されるものではない。
【０１２６】
すなわち、複数の加盟店の場合であっても、その入金要求は加盟店識別情報により加盟店毎に識別できるため、Ｓ３８およびＳ３９の処理により得られた支払分バリューを加盟店ＤＢ５２により加盟店毎に管理することが可能になり、加盟店入金情報を加盟店毎に収納管理サーバ８に送信することができる。
【０１２７】
この結果、各加盟店でのＩＣカード利用による支払金額をその各加盟店に対して入金することが可能になる。
【０１２８】
なお、本発明の代理収納システムは収納サーバ７、７Ａに相当しており、第１および第２の実施の形態では、この収納サーバ７、７Ａを最終収納者側収納システムの一部として設けたが、本発明はこの構成に限定されるものではない。
【０１２９】
例えば、収納サーバを最終収納者側収納システムとは独立して設け、最終収納者側収納システムと通信可能に構成することもできる。
【０１３０】
【発明の効果】
以上述べたように、本発明に係わる代理収納方法およびシステム、ならびに代理収納用プログラムによれば、代理収納者からの前払金の金額に相当する貨幣価値を電子的に表す前払金バリューデータを前払金バリューデータ記憶手段に記憶しているため、仮に代理収納者に倒産リスクが発生した場合でも、前払金バリューデータ記憶手段に記憶された前払金バリューデータから、請求金を確実に回収することが可能になる。
【０１３１】
この結果、最終収納者側における代理収納者の倒産リスクを回避し、早期の資金運用を行うことができる、
【図面の簡単な説明】
【図１】図１は、本発明の第１の実施の形態に係わる代理収納システムの概略構成を示すブロック図。
【図２】図１に示す収納バリュー管理ＤＢの概略構成を示す図。
【図３】図１に示す代理収納者用ＤＢの概略構成を示す図。
【図４】本発明の第１の実施の形態に係わる代理収納方法全体の流れを説明するための図。
【図５】本発明の第１の実施の形態に係わる代理収納システムの全体動作を説明するための概略フローチャート。
【図６】本発明の第１の実施の形態に係わる電子マネーデータ（収納バリュー、収納済みバリュー等）の変化を説明するための図。
【図７】図５に示すステップＳ１１の処理を詳細に説明するための概略フローチャート。
【図８】本発明の第２の実施の形態に係わる代理収納システムの概略構成を示すブロック図。
【図９】本発明の第２の実施の形態に係わる代理収納システムの全体動作を説明するための概略フローチャート。
【図１０】従来の代理収納方法を説明するための図。
【符号の説明】
１、１Ａ…代理収納システム
２、２Ａ…最終収納者側収納システム
３、３Ａ…代理収納者側収納システム
４…通信ネットワーク
５…請求／消込管理サーバ
６…口座管理サーバ
７、７Ａ…収納サーバ
８…収納管理サーバ
９…インセンティブ管理サーバ
１０、２４…ＬＡＮ
１１、２５、４６…ゲートウェイ
２０…収納管理端末
２１…口座振替端末
２２…収納専用端末
２３…インセンティブ管理端末
４５…加盟店
４５、４８、５２…電子マネーリーダ／ライタ
４７…通信端末
５０…電子マネー発行管理ＤＢ
５１…利用者用ＤＢ
５２…加盟店ＤＢ
６０…ＩＣカード
６１…コントローラ
６２…メモリ
【図１】
2004310382.tif 000003
【図２】
2004310382.tif 000004
【図３】
2004310382.tif 000005
【図４】
2004310382.tif 000006
【図５】
2004310382.tif 000007
【図６】
2004310382.tif 000008
【図７】
2004310382.tif 000009
【図８】
2004310382.tif 000010
【図９】
2004310382.tif 000011
【図１０】
2004310382.tif 000012